(57)【特許請求の範囲】
【請求項１】
２枚の天井材の間に照明装置が組み込まれている天井組込照明構造において、前記照明装置は、光源と、この光源からの光を出射する発光面を有する導光材と、この導光材の前記発光面に対向して配置され前記導光材から出射された光が透過する照明カバーとを備え、前記照明カバーは、前記導光材に対向する面およびその反対側の面の少なくとも一方の面に、一方の前記天井材側の部分に断面視略円弧状の凸曲面が形成されており、前記導光材の前記発光面から出射された光が前記導光材の凸曲面で屈折してその照射方向が他方の前記天井材寄りに向かうように制御されていることを特徴とする天井組込照明構造。
【請求項２】
前記照明カバーは、前記導光材に対向する面とその反対側の面とが他方の前記天井材側の部分において略平行に形成されていることを特徴とする請求項１に記載の天井組込照明構造。
【請求項３】
前記照明カバーは、前記導光材に対向する面とその反対側の面とが他方の前記天井材側の部分において一方の前記天井材から他方の前記天井材に向かって漸近していることを特徴とする請求項１に記載の天井組込照明構造。
【請求項４】
前記導光材の前記発光面は、断面視略半円弧状の凸曲面であることを特徴とする請求項１から３のいずれか一項に記載の天井組込照明構造。
【発明の詳細な説明】
【技術分野】
【０００１】
本発明は、天井材に照明装置が組み込まれている天井組込照明構造に関する。
【背景技術】
【０００２】
従来、２枚の天井材の間に照明装置が組み込まれている天井組込照明構造が知られている。例えば、特許文献１に記載の照明装置は、蛍光灯を収納し保持する箱状体とこの箱状体の下面に取り付けられる平板状の照明カバーとから構成され、浴室ユニットの天井部において浴槽側と洗い場側との間に組み込まれている。
【先行技術文献】
【特許文献】
【０００３】
【特許文献１】特開２００１−１５２６８１号公報
【発明の概要】
【発明が解決しようとする課題】
【０００４】
上記の天井組込照明構造においては、箱状体の中の蛍光灯で照明カバーを介して浴室内が照らされており、浴槽側の空間と洗い場側との空間は略均等の明るさで照らされている。しかしながら、浴室照明としては、入浴者が洗体、洗髪を行いやすいように洗い場側の空間をより明るくし、入浴者がリラックスして湯船に浸かるなど落ち着いた空間にするために浴槽側の空間をあまり明るくし過ぎないようにすることが望まれている。一つの照明装置で浴室内の明るさを場所によって変えるなど配光制御するために、例えば、照明カバーに微細なプリズム形状を施すことが考えられる。しかしながら、浴室ユニットの天井に組み込まれる照明装置の照明カバーは一般的には２ｍ程度の長尺な押出成形体であるため、微細なプリズム形状を精度よく付与することが難しいという問題があった。
【０００５】
本発明は、以上の通りの事情に鑑みてなされたものであり、より簡単な構造の配光制御された天井組込照明構造を提供することを課題としている。
【課題を解決するための手段】
【０００６】
上記の課題を解決するために、本発明の天井組込照明構造は、以下のことを特徴としている。
【０００７】
本発明は、２枚の天井材の間に照明装置が組み込まれている天井組込照明構造において、照明装置は、光源と、この光源からの光を出射する発光面を有する導光材と、この導光材の発光面に対向して配置され導光材から出射された光が透過する照明カバーとを備え、照明カバーは、導光材に対向する面およびその反対側の面の少なくとも一方の面に、一方の天井材側の部分に断面視略円弧状の凸曲面が形成されており、導光材の発光面から出射された光が導光材の凸曲面で屈折してその照射方向が他方の天井材寄りに向かうように制御されていることを特徴とする。
【０００８】
この天井組込照明構造において、照明カバーは、導光材に対向する面とその反対側の面とが他方の天井材側の部分において略平行に形成されていることが好ましい。
【０００９】
また、この天井組込照明構造において、照明カバーは、導光材に対向する面とその反対側の面とが他方の天井材側の部分において一方の天井材から他方の天井材に向かって漸近していることが好ましい。
【００１０】
さらにまた、この天井組込照明構造において、導光材の発光面は、断面視略半円弧状の凸曲面であることが好ましい。
【発明の効果】
【００１１】
本発明によれば、配光制御された天井組込照明構造をより簡単な構造にすることができる。
【図面の簡単な説明】
【００１２】
【図１】（ａ）は本発明の天井組込照明構造の一実施形態を示す斜視図であり、（ｂ）は（ａ）のＡ−Ａ線断面図である。
【図２】図１(ａ)のＢ−Ｂ線断面図である。
【図３】照明カバーを透過した光の配光を説明するための模式図である。
【図４】光源ユニットの斜視図である。
【図５】照明装置の分解斜視図である。
【図６】光源ユニットのケース体への取り付けを説明する斜視図である。
【図７】照明装置の取り付けを説明する斜視図である。
【図８】（ａ）、（ｂ）は天井組込照明構造の別の実施形態を示す模式図である。
【発明を実施するための形態】
【００１３】
以下、図面を参照して本発明の実施形態を説明する。
【００１４】
図１（ａ）は、本発明の天井組込照明構造の一実施形態を示す斜視図であり、図１（ｂ）は、図１（ａ）のＡ−Ａ線断面図である。図２は、図１(ａ)のＢ−Ｂ線断面図である。図３は、照明カバーを透過した光の配光を説明するための模式図である。図４は、光源ユニットの斜視図であり、図５は、照明装置の分解斜視図である。図６は、光源ユニットのケース体への取り付けを説明する斜視図であり、図７は、照明装置の取り付けを説明する斜視図である。
【００１５】
天井材４０は、浴室ユニット等の天井の構成部材であり、本実施形態では２枚の天井材４０と照明装置１とで浴室ユニット６０の天井が構成されている。２枚の天井材４０はそれぞれ浴室ユニット６０の浴槽６１側の天井と洗い場６４側の天井を構成し、照明装置１は浴槽６１側と洗い場６４側との境界部分の天井を構成している。
【００１６】
天井材４０は、鋼板やアルミニウム板のような金属または合成樹脂などにより矩形状に形成され、下面が浴室内に露出する面板部４１の４側端部（４辺）４１ａの一つに背面側（上側）に向かって突出する平板状の挟持片４２が全長にわたって折曲形成されている。挟持片４２にはその長手方向の略中央の位置１箇所に位置決め用孔４６が設けられ、この位置決め用孔４６の下側に貫通孔４５が長手方向４箇所に所定間隔で設けられている。この位置決め用孔４６および貫通孔４５は、後述する棒状の位置決め部材７０および固着具５０がそれぞれ挿し込まれる孔であり、その数、位置等は特に制限されるものではない。例えば、照明装置１を挟持片４２に取り付けることができれば、位置決め用孔４６は、複数の箇所に設けられていてもよいし、貫通孔４５の下側に設けられていてもよい。また貫通孔４５は、後述するように、位置決め用孔４６に挿通する位置決め部材７０の内部に形成される固着具挿通孔７１として構成することもできる。
【００１７】
２枚の天井材４０のうち一方の天井材４０には、点検蓋４３を着脱自在に取り付け可能な点検口４４が設けられている。２枚の天井材４０は、挟持片４２が対向するようにそれぞれ配置され、対向する挟持片４２の間に照明装置１が取り付けられる。
【００１８】
照明装置１は、線状に光るライン照明であり、光源ユニット１０と、この光源ユニット１０からの光を受けて出射する導光材２と、この導光材２から出射された光が透過する照明カバー３０とを備えている。また、導光材２および光源ユニット１０を収納するケース体２０も備えている。導光材２は単数もしくは複数でもよく、複数の場合には長手方向に配列されてケース体２０に収納される。本実施形態では、４本の導光材２が長手方向に配列され、隣接する導光材２の端部同士が互いに当接するように連続して配置されている。その長手方向全長は、挟持片４２が形成されている天井材４０の１辺の長さと略一致する。光源ユニット１０は、導光材２の数に対応して４つ設けられているが、導光材２が長手方向に連続して配置されていれば４つ以下の数とすることもできる。
【００１９】
導光材２は、アクリル樹脂やポリカーボネート樹脂等の合成樹脂、ガラス等の透光性を有し屈折率の高い部材で構成される。この導光材２は、短辺側の一方の側面が入射面２ａ、長辺側の一側面が室内空間の照明光として光を出射する発光面２ｂとなる断面視略矩形状の長尺な部材で構成される。より具体的には、入射面２ａからその反対側の側面に向かって長辺側の対向する一対の側面が漸近する楔型形状を有し、漸近する一対の側面の一つが発光面２ｂとされる。楔型形状とすることにより、入射面２ａから入射した光の繰り返し反射による減衰が抑えられる。この効果を高めるために、光を拡散導出するための導光パターンを漸近する一対の側面のうち発光面２ｂの反対側の側面に設けることができる。導光パターンは、例えば、発光面２ｂの反対側の側面に、反射シートを貼着したり反射性の物質を印刷や蒸着したりすることによって形成される。また導光パターンは、導光材２の長手方向に直交する方向に溝加工もしくは溝を成形することによっても形成することができる。このような導光パターンは導光材２の長手方向全長にわたって設けることができる。
【００２０】
光源ユニット１０は、ＬＥＤ等の光源１１と、基板１２と、この基板１２を収納する基板ケース１３とから構成され、上下方向に着脱可能にケース体２０に収納される。
【００２１】
光源１１は基板１２に単数または複数搭載されており、この光源１１が導光材２の入射面２ａに対向して配置されるように基板ケース１３に基板１２が装着され、基板ケース１３がケース体２０に装着される。
【００２２】
ケース体２０は、アルミニウム等の金属、合成樹脂等の剛性部材で構成され、対向する一対の平板状の長尺な側板２３と、この一対の側板２３間を連結する平板状の長尺な連結板２１とから一体に形成されている。具体的には、一対の側板２３は互いに略平行に配置され、この一対の側板２３の間に、側板２３に直交するように連結板２１が配置され、ケース体２０は断面視略Ｈ字形状に形成されている。このような形状とすることにより、ケース体２０自体の強度が効果的に確保され、ケース体２０の撓み、変形が抑制される。照明装置１の天井材４０への取り付けに必要な剛性がより効果的に確保される。また、天井材４０の補強材としての機能を兼ねることもできる。ケース体２０に収納される導光材２の強度も補強され、導光材２の撓み、変形を抑制する機能も有する。
【００２３】
ケース体２０は、２枚の天井材４０の各々に形成されている挟持片４２の間に配置され、各側板２３の外側面（対向する側板側の面とは反対側の面）が各々の挟持片４２の内側面（対向する挟持片側の面）に当接する。
【００２４】
各側板２３は、下端部に、内方（対向する側板側に向かう方向）に突出する平板状の支持片２４を長手方向全長にわたって有している。この支持片２４は連結板２１と略平行に形成されている。各側板２３の支持片２４は対向して形成されており、これら支持片２４の間に導光材２が挟持され支持される。また、各側板２３の内側面（対向する側板側の面）には、下側部分が内方に凹み、光源ユニット１０を支持する載置部２８が形成されている。
【００２５】
連結板２１と一対の側板２３とで囲まれる領域のうち連結板２１の下側に形成され下方に開放する下側領域Ｙにおいて、導光材２が支持片２４に支持されて収納される。一方、連結板２１の上側に形成され上方に開放する上側領域Ｘにおいては、上記した挟持片４２の位置決め用孔４６を通じて位置決め部材７０が外方から挿し込まれて、ケース体２０が挟持片４２に取り付けられるようになっている。また、挟持片４２の貫通孔４５を通じて固着具５０が外方から挿し込まれて、ケース体２０が挟持片４２に固定されるようになっている。これによって、位置決め部材７０および固着具５０と導光材２とが互いに干渉することなく照明装置１が天井材４０に取り付けられる。
【００２６】
ケース体２０の各側板２３に対向して形成されている支持片２４の間の離間距離ｄは、導光材２の幅Ｄよりもやや狭く設定され、導光材２の発光面２ｂが支持片２４によって可能な限り遮蔽されないようにされている。各支持片２４には、先端部上側に突起２５が設けられて段部２６が形成されている。これら支持片２４の段部２６の間に導光材２が挟持されることにより、導光材２の設置安定性が向上し、ケース体２０内に安定して収納される。
【００２７】
ケース体２０内への導光材２の収納は、導光材２の発光面２ｂが室内空間に臨むようにケース体２０の両端部の一方の端部から下側領域Ｙに挿し込まれることによってなされる。
【００２８】
ケース体２０の各側板２３には、挟持片４２の位置決め用孔４６に対応する位置決め部材７０の位置決め用孔３７が長手方向の略中央の位置に設けられている。また、各側板２３には、挟持片４２の貫通孔４５に対応する固着具５０の貫通孔２７が位置決め用孔３７の下側に長手方向４箇所に所定間隔で設けられている。側板２３および挟持片４２の位置決め用孔３７，４６に位置決め部材７０を挿通させることにより照明装置１が挟持片４２に取り付けられ、側板２３および挟持片４２の貫通孔２７，４５に固着具５０を挿通させ締結することにより照明装置１が挟持片４２に固定される。固着具５０の締結時のケース体２０の変形をできるだけ抑えるために連結板２１付近に貫通孔２７が設けられることが好ましい。連結板２１よりも下側に位置決め用孔３７や貫通孔２７を側板２３に設け、側板２３および挟持片４２の位置決め用孔３７，４６、貫通孔２７，４５を通じて下側領域Ｙに位置決め部材７０と固着具５０を挿し込んで照明装置１を挟持片４２に取り付け、固定することもできる。この場合、下側領域Ｙに収納される導光材２と挿し込まれる位置決め部材７０および固着具５０とが干渉しないような位置に位置決め部材７０や貫通孔２７が側板２３に設けられる。
【００２９】
挟持片４２に取り付けられた照明装置１が天井面４１ｂから突出しないように、挟持片４２の高さ（天井面４１ｂから天井裏面（背面）に至る方向の長さ）、ケース体２０の高さ（天井面４１ｂから天井裏面に至る方向の長さ）等が設定される。同様に、側板２３および挟持片４２の位置決め用孔３７，４６、貫通孔２７，４５の形状、位置等も照明装置１が天井面４１ｂから突出しないように設定される。照明装置１が天井面４１ｂと同一面上（面一）になるように、上記した部材の高さや孔の形状、位置等が設定されることが好ましい。照明装置１が後述する照明カバー３０を備えているときは、照明カバー３０の室内空間側の面が天井面４１ｂから突出しないように、上記した部材の高さや孔の形状、位置等が設定される。
【００３０】
側板２３および挟持片４２の位置決め用孔３７，４６の形状は、位置決め部材７０の外形形状と略一致する形状であることが好ましい。このとき、位置決め用孔３７，４６に位置決め部材７０を挿通させたときの位置決め用孔３７，４６と位置決め部材７０との間に形成されるクリアランスが可能な限り小さくなるようにすることが好ましい。例えば、位置決め部材７０が円柱形状を有している場合、位置決め用孔３７，４６の形状は位置決め部材７０の外径よりもやや小さい円形状に形成されていることが考慮される。側板２３および挟持片４２の貫通孔２７，４５の形状は、固着具５０の締結により照明装置１を挟持片４２に固定することができれば特に制限されない。例えば、固着具５０を挿通させたときの貫通孔２７，４５と固着具５０との間に形成されるクリアランスが上記した位置決め用孔３７，４６と位置決め部材７０との間のクリアランスよりも大きくなるような長孔状とすることができる。
【００３１】
本実施形態では、ケース体２０の側板２３に、外側面から外方に突出する平板状の係止片２９が設けられており、挟持片４２の先端部４２ａに係止片２９が引っ掛かってケース体２０が挟持片４２に載置され、支持されるようになっている。これによって、照明装置１を天井材４０に取り付ける際、ケース体２０の落下を防ぐことができる。また作業性を向上させる利点も有する。
【００３２】
照明カバー３０は、導光材２の発光面２ｂに対向して配置され、導光材２を覆うようにケース体２０の側板２３の下側部分に装着される。照明カバー３０は、アクリル樹脂やポリカーボネート樹脂等の透明性合成樹脂で押出成形などによって製造される長尺な部材であり、ケース体２０の長手方向全長と略同じ長さを有し、天井材４０とともに浴室ユニット６０の天井を構成する。
【００３３】
この照明カバー３０には光学機能を付与されており、照明装置１の照明演出効果が高められている。例えば図１に示すように、照明カバー３０の導光材２に対向する面（対向面８１）とは反対側の面８２は、平坦面とされ、導光材２の発光面２ｂに対して略平行に形成されている。一方、対向面８１は、浴槽６１側の天井材４０側の部分に、断面視で略１／４円弧状の凸曲面８３が形成されている。この対向面８１は、浴槽６１側の天井材４０から洗い場６４側の天井材４０に向かって凸曲面８３に連続する面８４が形成されており、浴槽６１側の天井材４０側の部分と洗い場６４側の天井材４０側の部分とが連続している。この凸曲面８３に連続する面８４は平坦面であり反対側の面８２に対して略平行に形成されている。このように凸曲面８３が形成されている面（本実施形態では対向面８１）は、浴槽６１側の天井材４０側の部分と洗い場６４側の天井材４０側の部分の形状が非対称になっている。
【００３４】
このような構造の照明カバー３０を用いることにより、浴室ユニット６０内の洗い場６４側の空間を浴槽６１側の空間よりも明るく照らすことができる。図３は、照明カバー３０を透過した光の配光を説明するための模式図であり、導光材２とその発光面２ｂに対向して配置される照明カバー３０とを簡略化して記載している。図中の矢印は光の照射方向を示している。
【００３５】
導光材２の発光面２ｂから出射される光は導光パターンにより拡散された光となっており、このうち浴槽６１側に向かう光は照明カバー３０の凸曲面８３で屈折しその照射方向が洗い場６４側に向かう。一方、導光材２の発光面２ｂから出射される光のうち洗い場６４側に向かう光は、凸曲面８３に連続する面８４と反対側の面８２とが略平行に形成されているので照明カバー３０を透過してもそのまま洗い場６４側に向かう。このように照明カバー３０を透過した光はその照射方向が洗い場６４寄りに向かうことになり、浴室ユニット６０内においては、洗い場６４側の空間に照射される光の光度が浴槽６１側の空間に照射される光の光度と比べて高くなり、洗い場６４側の空間がより明るくなる。本実施形態のような照明カバー３０がない場合には、導光材２の発光面２ｂから出射される光が拡散光のため、洗い場６４側の空間と浴槽６１側の空間は略均等の明るさで照らされることになる。また、照明カバー３０は、凸曲面８３に連続する面８４と反対側の面８２とが略平行に形成されているなど押出成形が容易な簡単な構造であるため、低コストで製造でき、しかも製造が安定化し品質の信頼性が向上する。
【００３６】
照明カバー３０の凸曲面８３は、対向面８１だけでなく反対側の面８２の浴槽６１側の天井材４０側の部分にも形成されていてもよいし、反対側の面８２だけに形成されていてもよい。いずれの場合も配光制御が可能であり、洗い場６４側の空間をより明るくすることができる。浴室ユニット６０内から観察される照明装置１の存在感を抑えてすっきりした室内空間を付与するなどの意匠性や浴室内の清掃などを考慮すると、凸曲面８３は対向面８１のみに形成され、反対側の面８２は平坦面とされていることが好ましい。
【００３７】
本実施形態の照明カバー３０は、両側端部に、対向する一対の係止爪片３１を有している。係止爪片３１は、照明カバー３０の対向面８１から上方に突設され、照明カバー３０と一体に形成されており、その先端部に、内方に突出する凸部３２が形成されている。一方、照明カバー３０が装着される側板２３の外側面には、下側部分が内方に凹み、係止爪片３１の凸部３２が引っ掛かる係合凹部３３が形成されている。この係合凹部３３は、支持片２４と載置部２８との間に形成されている。係止爪片３１の凸部３２を係合凹部３３に引っ掛けて照明カバー３０を装着し下側領域Ｙを閉塞して導光材２を覆うことで、防水性、意匠性を向上させている。
【００３８】
防水性をさらに向上させるために、係止爪片３１の背面側（挟持片側）の面に挟持片４２と当接するパッキン８０を設けてもよい。対向する挟持片４２の間に照明装置１が挟持されると、照明カバー３０と挟持片４２との間に形成される隙間がパッキン８０で遮蔽され、水密性が確保される。パッキン８０は、照明カバー３０の側端部が外方に突出して形成される突出部３５と係止爪片３１とにより構成される段差部３６に貼り付けられる。
【００３９】
また、本実施形態では、ケース体２０の両端部に、合成樹脂等の剛性部材で形成されるエンドキャップ３９が嵌め込まれている。これによってケース体２０の両端部の隙間が閉塞される。
【００４０】
次に、光源ユニット１０のケース体２０への取り付けについて説明する。
【００４１】
光源ユニット１０の取り付けは、導光材２をケース体２０に収納した後に行われる。
【００４２】
光源ユニット１０を構成する基板ケース１３は、導光材２の入射面２ａ側に開口を有し基板１２を収納する箱状の光源収納部１４と、ケース体２０内において光源収納部１４を保持する保持部１５とが連設され、側面視略Ｌ字状に形成されている。保持部１５は、光源収納部１４を構成する一対の側板１７が上方に延設されて形成されており、その一対の側板１７の上側部分に一対の貫通孔１６が形成されている。ケース体２０の連結板２１には、光源ユニット１０が装着される部分が切り欠かれて開口２２が形成されており、この開口２２によって、上側領域Ｘと下側領域Ｙが連通している。光源ユニット１０のケース体２０への取り付けは、上方から連結板２１の開口２２に挿し込み、基板ケース１３の下端部が側板２３の載置部２８に当接するまで押し込むことによってなされる。これによって光源ユニット１０の光源収納部１４が下側領域Ｙに配置され、光源ユニット１０の保持部１５が上側領域Ｘに配置され、光源ユニット１０がケース体２０内に収納される。下側領域Ｙに配置された光源収納部１４は、同じ下側領域Ｙに収納されている導光材２の入射面２ａに対峙し、光源収納部１４の基板１２に搭載された光源１１から導光材２の入射面２ａに向かって光が出射されることになる。
【００４３】
ケース体２０の側板２３には、係止片２９の上側に、挟持片４２の貫通孔４５に対応する貫通孔３８が設けられている。基板ケース１３をケース体２０に収納した状態でピン５４、ねじなどの連結具５３を保持部１５および側板２３の貫通孔１６，３８に挿通させることによって、ケース体２０に安定して取り付けることができる。
【００４４】
本実施形態では、保持部１５および側板２３の貫通孔１６，３８から連結具５３を外すことによって、ケース体２０から光源ユニット１０を容易に上方向に取り外すことが可能であり、またケース体２０の上方から下方向に挿し込んで装着することも可能である。このため、光源ユニット１０を容易に交換、点検できるなどメンテナンス性および作業性に優れる。
【００４５】
上記のような構成の照明装置１は、例えば、浴室ユニット６０の壁を構成する複数の壁パネル６２への天井材４０の取り付け施工時に天井材４０に取り付けられる。
【００４６】
浴室ユニット６０は、一般的には、防水パン、浴槽６１、壁パネル６２、天井材４０を現場で組み立てて構成される。例えば、防水パンの外端部の立ち上がりの上部に壁パネル載置部を形成し、この壁パネル載置部の上に複数の壁パネル６２を載置する。次いで、壁パネル６２で囲まれる空間の上部開口６３を天井材４０で塞ぐように壁パネル６２の上に取り付けて浴室ユニット６０を組み立てている。本実施形態では天井材４０の取り付け施工時に照明装置１を天井材４０に取り付けている。以下に、照明装置１の天井材４０への取り付けについて説明する。
【００４７】
まず、図７に示すように、２枚の天井材４０のうち一方の天井材４０を、挟持片４２が形成されていない３側端部４１ａと壁パネル６２の上端部６２ａとが一致するように配置して取り付ける。次に、この天井材４０の挟持片４２の先端部４２ａにケース体２０の係止片２９が引っ掛かるようにケース体２０の側板２３を挟持片４２に当接させて照明装置１を配置する。照明装置１に係止片２９を設けていない場合には、側板２３が挟持片４２に当接するように、対向する一対の壁パネル６２の上に照明装置１の両端部を載置する。このとき、照明装置１は、その両端部が一対の壁パネル６２に支持されて浴室に架け渡されたような状態となる。
【００４８】
次に、他方の天井材４０の挟持片４２が側板２３に当接するように他方の天井材４０を壁パネル６２に取り付ける。これによって、一方の天井材４０と他方の天井材４０の各々に対向して形成されている挟持片４２の間に照明装置１が挟持され、浴室の壁パネル６２で囲まれる空間の上部開口６３は２枚の天井材４０と照明装置１とで閉塞される。
【００４９】
次に、浴室ユニット６０の内部から天井材４０の点検口４４を通じて、棒状の位置決め部材７０を用いて照明装置１を２枚の天井材４０の間に取り付けて仮固定する。
【００５０】
位置決め部材７０は、金属等の剛性材で形成され十分な強度を有し、２枚の天井材４０の挟持片４２の間に照明装置１が挟持され位置決め用孔３７，４６に挿し込まれた状態において両端部が各挟持片４２の外方に突出する程度に十分な長さを有している。本実施形態の位置決め部材７０は、円柱形状を有し、両端部は、先端に向かって徐々に外径が小さくなる傾斜構造を有している。この傾斜構造は位置決め用孔３７，４６への挿入を容易にするものであり、一方の端部にのみ傾斜構造を有していてもよい。もちろん、傾斜構造を有していなくてもよい。位置決め用孔３７，４６の形状は、位置決め部材７０の外形形状に応じて円形状に形成されている。なお、位置決め部材７０や位置決め用孔３７，４６の形状は特に制限されるものではなく、例えば、位置決め部材７０を角柱形状とし、位置決め用孔３７，４６の形状を矩形状とすることもできる。
【００５１】
位置決め部材７０は２枚の天井材４０の挟持片４２の間に照明装置１が挟持された状態で位置決め用孔３７，４６に挿し込まれ、これによって照明装置１が２枚の天井材４０の間に取り付けられる。位置決め部材７０の位置決め用孔３７，４６への挿し込みは、次の方法でなされる。すなわち、一方の天井材４０の挟持片４２の位置決め用孔４６にその外方から位置決め部材７０の一方の端部を挿し込み、照明装置１のケース体２０の位置決め用孔３７および他方の天井材４０の挟持片４２の位置決め用孔４６に順次挿通させる。位置決め部材７０の端部が傾斜構造を有する場合、その端部を一方の天井材４０の挟持片４２の位置決め用孔４６に挿し込んで、照明装置１のケース体２０の位置決め用孔３７および他方の天井材４０の挟持片４２の位置決め用孔４６に順次挿通させればよい。位置決め部材７０を位置決め用孔３７，４６に挿通させることにより、２枚の天井材４０の間に照明装置１が取り付けられ、仮固定される。このとき、照明装置１の照明カバー３０の室内空間側の面が天井面４１ｂと略同一面上になった状態で照明装置１が取り付けられている。
【００５２】
次に、浴室ユニット６０の内部から天井材４０の点検口４４を通じて、ボルト５１、ナット５２で構成される固着具５０を用いて仮固定の状態の照明装置１を２枚の天井材４０の間に固定する。具体的には、照明装置１が仮固定された状態で一方の天井材４０の挟持片４２の貫通孔４５にその外方からボルト５１の先端部を挿し込み、照明装置１のケース体２０の貫通孔２７および他方の天井材４０の挟持片４２の貫通孔４５に順次挿通させる。挿通させたボルト５１の先端部を他方の天井材４０の挟持片４２の貫通孔４５の外方からナット５２で締結することにより、２枚の天井材４０の間に照明装置１が固定される。
【００５３】
このように２枚の天井材４０の挟持片４２の間に照明装置１が挟持された状態で位置決め用孔３７，４６に位置決め部材７０を挿し込むことにより、天井材４０の挟持片４２に照明装置１を容易に取り付けて仮固定することができる。位置決め用孔３７，４６の位置を適宜調整して設定することにより、照明装置１の照明カバー３０の室内空間側の面を天井面４１ｂと略同一面上にするなど照明装置１を所望の位置に取り付けることが可能となる。また照明装置１の位置決めが簡単に精度よくできる。照明装置１が位置決め部材７０で挟持片４２に取り付けられ仮固定されているので、照明装置１を上下左右にずらすなど位置調整を行うことなく照明装置１を固着具５０で容易に固定することができる。２枚の天井材４０の間に照明装置１を天井面４１ｂから突出させないように容易に固定することが可能となり、浴室側から観察される照明装置１の存在感が抑えられ、すっきりした室内空間が付与され、意匠性を向上させることができる。
【００５４】
以上のようにして２枚の天井材４０の間に取り付けられた照明装置１は、浴槽６１側の空間よりも洗い場６４側の空間をより明るく照らすように配光制御されている。したがって、洗い場６４においては、入浴者が洗体、洗髪などの作業がしやすくなり使い勝手が向上し、浴槽６１においては、入浴者がリラックスして湯船に浸かるなど落ち着いた空間が実現される。この照明装置１は、照明カバー３０に微細なプリズム形状を有しておらず簡単な構造である。照明カバー３０は押出成形が容易な簡単な構造であるため、低コストで製造でき、しかも製造が安定化し品質の信頼性が向上する。
【００５５】
天井組込照明構造の別の実施形態について説明する。図８は、天井組込照明構造の別の実施形態を示す模式図であり、導光材とその発光面に対向して配置される照明カバーとを簡略化して記載している。図１−図７に示した天井組込照明構造と同じ部分には同一の符号を付し、その説明を省略する。
【００５６】
図８（ａ）の実施形態では、照明カバー３０の対向面８１の凸曲面８３に連続する面８４が、浴槽側の天井材から洗い場側の天井材に向かって反対側の面８２に直線的に漸近しており傾斜面８５が形成されている。導光材２は図１の導光材２と同様の形状である。
【００５７】
この実施形態では、導光材２の発光面２ｂから出射される拡散光のうち、浴槽側に向かう光は照明カバー３０の凸曲面８３で屈折しその照射方向が洗い場側に向かう。一方、洗い場側に向かう光は矢印で示すように照明カバー３０の傾斜面８５において屈折し、やや浴槽寄りに集光されている。したがって、照明カバー３０を透過した、洗い場側に向かう光は、やや浴槽寄りに集光されて指向性が高められており、洗い場側の空間をより効果的に明るく照らすことができる。
【００５８】
なお、傾斜面８５は、照明カバー３０の対向面８１だけでなく反対側の面８２にも形成されていてもよいし、反対側の面８２のみに形成されていてもよい。
【００５９】
図８（ｂ）の実施形態では、導光材２の発光面２ｂが、断面視で略半円弧状の凸曲面とされ、丸みを帯びた形状に形成されている。照明カバー３０は図１の照明カバー３０と同様の形状である。
【００６０】
この実施形態では、導光材２に入射した光が発光面２ｂにおいて屈折し、集光され、発光面２ｂから出射される光は、矢印で示すように拡散が抑えられて指向性が高められている。このような指向性の高い光が照明カバー３０を透過すると、照明カバー３０を透過した、洗い場側に向かう光も指向性が高くなっており、洗い場側の空間をより効果的に明るく照らすことができる。
【００６１】
いずれの実施形態においても効率よく明るさを確保できるため省エネ化を図れるという利点を有する。
【００６２】
以上、実施形態に基づき本発明を説明したが、本発明は上記の実施形態に何ら限定されるものではなく、その要旨を逸脱しない範囲内において各種の変更が可能である。例えば、図８（ａ）の照明カバーと図８（ｂ）の導光材とを組合わせた構造とすることもできる。また、上記の実施形態では照明装置の光源ユニットが導光材の短辺側の側面に対向して配置されているが、導光材の上側に配置されていてもよいし、導光材の形状を直方体形状とすることもできる。
【符号の説明】
【００６３】
１  照明装置
２  導光材
２ｂ  発光面
１１  光源
３０  照明カバー
４０  天井材
８１  対向面
８２  反対側の面
８３  凸曲面
【図２】
0005486438.tif 000002
【図３】
0005486438.tif 000003
【図８】
0005486438.tif 000004
【図１】
0005486438.tif 000005
【図４】
0005486438.tif 000006
【図５】
0005486438.tif 000007
【図６】
0005486438.tif 000008
【図７】
0005486438.tif 000009